(57)【要約】【目的】複数の単位紙を重層したペーパータオル等の束を安定的に収容することができ、その単位紙束が少量数枚となっても、略１枚ずつ取り出すことができること。【構成】単位紙ｃを複数重層した重層束Ｃが収納され、単位紙ｃを一枚ずつ連続的に取出可能とした収納体Ａ及び収納底部２であって、収納底部２の奥行方向の略中央箇所に取出用開口５が形成され、収納底部２は断面略Ｖ字状に形成され、且つこの頂部箇所に重層束Ｃの前側及び後側を支持する前側支持部７ａ及び後側支持部７ｂが形成されていること。収納体Ａの幅方向の略中央位置に、重層束ｃの両側部を支持するための水平状突起８１を有すると共に、高さ方向に対の取付穴８２ａが複数形成され、垂直状取付片８２を備えた側部支持突起８が、収納体Ａの側壁面１ｂ箇所に設けられた所定位置の対の壁取付孔８３ａ及び対の取付穴８２ａを介して取付用ビス８５にて着脱自在に設けられること。【選択図】    図１
2010149920.tif 000002
【特許請求の範囲】
【請求項１】
単位紙を複数重層した重層束が収納され、該重層束より単位紙を一枚ずつ連続的に取出可能とした収納体及び収納底部であって、該収納底部の奥行方向の略中央箇所に前記収納体の幅方向に沿って取出用開口が形成されるとともに、前記収納底部は側面より見て断面略Ｖ字状に形成され、且つ該Ｖ字状の頂部箇所に前記重層束の前側及び後側を支持する前側支持部及び後側支持部が形成され、前記収納体の幅方向両側で且つ奥行方向の略中央位置に、前記重層束の両側部を支持するための水平状突起を有すると共に、高さ方向に対の取付穴が形成され且つ該対の取付穴が幅方向に複数設けられた垂直状取付片を備えた側部支持突起が、前記収納体の側壁面箇所に設けられた所定位置の対の壁取付孔及び前記対の取付穴を介して取付用ビスにて着脱自在に設けられてなることを特徴とするペーパータオルキャビネット。
【請求項２】
請求項１において、前記前側支持部と前記後側支持部と前記水平状突起の頂部位置は略水平位置に設けられてなることを特徴とするペーパータオルキャビネット。
【請求項３】
請求項１又は２において、前記側部支持突起の水平状突起は、断面円形状をなすと共に、前記垂直状取付片の下側寄りに設けられてなることを特徴とするペーパータオルキャビネット。
【請求項４】
請求項３において、前記水平状突起を設けた側部支持突起を、反転させて前記収納体の側壁面箇所の所定位置の対の壁取付孔及び前記対の取付穴を介して取付用ビスにて着脱自在に設けられてなることを特徴とするペーパータオルキャビネット。
【請求項５】
請求項１，２，３又は４において、前記収納体の側壁面箇所に設けられた所定位置の対の壁取付孔に替えて設けた対の壁取付長孔を介して上下調節可能に設けられてなることを特徴とするペーパータオルキャビネット。
【発明の詳細な説明】
【技術分野】
【０００１】
本発明は、複数の単位紙を重層したペーパータオル等の束を安定的に収容することができ、その単位紙束が少量数枚となったときでも、略１枚ずつ取り出すことができるペーパータオルキャビネットに関する。
【背景技術】
【０００２】
従来より、単位紙（一度に取り出せる紙片：ペーパータオル等）を複数重層した束を容器本体内に収容収納して、その収容部の底部に形成した単位紙の取出口から単位紙を一枚ずつ取り出すと同時に、次の単位紙がその単位紙取出口に迫り出すという構造のペーパータオルキャビネットがホテル，飲食店等で使用されている。
【０００３】
このような、ペーパータオルキャビネットでは、重層した単位紙束が十数枚となったときに、一度にその全部が飛び出してしまい、無駄となる不都合が生じていた。この点を、図１０で説明する。最初は、同（Ａ）工程に示すように、ペーパータオルが多数重層されている状態では、１枚ずつ取り出すことができるが、同（Ｂ）工程に示すように、重層したペーパータオル束が十数枚となったときに、すなわち、少なくなったときには、左右の支持片にて支えきれずに、一度にその全部が飛び出してしまう不都合がしばしば生じていた。ペーパータオルの無駄として問題視されていた。特許文献１においても、突起は存在しているが、一体形成されており、調整などはできないのみならず、従来タイプの改良ができなかった。
【特許文献１】特開平８−１４０８９０号
【発明の開示】
【発明が解決しようとする課題】
【０００４】
しかしながら、そのペーパータオルキャビネットをデパート，ホテル、飲食店等の大型ビル内の各階のトイレ等の衛生器具として設置した場合において、本発明が解決しようとする課題（技術的課題又は目的等）は、その単位紙束が少量数枚（例えば、十数枚）となったときでも、少なくとも２，３枚、理想的には、１枚ずつ取り出すことができることを実現することである。
【課題を解決するための手段】
【０００５】
そこで、発明者は上記課題を解決すべく鋭意，研究を重ねた結果、請求項１の発明を、単位紙を複数重層した重層束が収納され、該重層束より単位紙を一枚ずつ連続的に取出可能とした収納体及び収納底部であって、該収納底部の奥行方向の略中央箇所に前記収納体の幅方向に沿って取出用開口が形成されるとともに、前記収納底部は側面より見て断面略Ｖ字状に形成され、且つ該Ｖ字状の頂部箇所に前記重層束の前側及び後側を支持する前側支持部及び後側支持部が形成され、前記収納体の幅方向両側で且つ奥行方向の略中央位置に、前記重層束の両側部を支持するための水平状突起を有すると共に、高さ方向に対の取付穴が形成され且つ該対の取付穴が幅方向に複数設けられた垂直状取付片を備えた側部支持突起が、前記収納体の側壁面箇所に設けられた所定位置の対の壁取付孔及び前記対の取付穴を介して取付用ビスにて着脱自在に設けられてなることを特徴とするペーパータオルキャビネットとしたことにより、前記課題を解決した。
【０００６】
請求項２の発明を、請求項１において、前記前側支持部と前記後側支持部と前記水平状突起の頂部位置は略水平位置に設けられてなることを特徴とするペーパータオルキャビネットとしたことにより、前記課題を解決した。請求項３の発明を、請求項１又は２において、前記側部支持突起の水平状突起は、断面円形状をなすと共に、前記垂直状取付片の下側寄りに設けられてなることを特徴とするペーパータオルキャビネットとしたことにより、前記課題を解決した。
【０００７】
請求項４の発明を、請求項３において、前記水平状突起を設けた側部支持突起を、反転させて前記収納体の側壁面箇所の所定位置の対の壁取付孔及び前記対の取付穴を介して取付用ビスにて着脱自在に設けられてなることを特徴とするペーパータオルキャビネットとしたことにより、前記課題を解決した。また、請求項５の発明を、請求項１，２，３又は４において、前記収納体の側壁面箇所に設けられた所定位置の対の壁取付孔に替えて設けた対の壁取付長孔を介して上下調節可能に設けられてなることを特徴とするペーパータオルキャビネットとしたことにより、前記課題を解決したものである。
【発明の効果】
【０００８】
請求項１の発明においては、ペーパータオルキャビネット（ホルダー）の取り出し口部内側に設置できる本体とは独立した側部支持突起によって、ペーパータオル使用時のキャビネットからのペーパータオル抜け落ちによるロスを低減する。詳述すると、単位紙束が少量数枚（例えば、十数枚）となったときでも、両側の側部支持突起にて支持されており、略１枚ずつ取り出すことができる。このため、ペーパータオルの使用量を増加させ、無駄を省くことができる。特に、ペーパータオル抜け落ち状態を調整できる。新設は勿論のこと、従来タイプの既設置のキャビネットに対しても使用することができる利点がある。取り付け、分離が容易にできる。また、その構造を極めて簡単にすることができる。
【０００９】
請求項２の発明においては、単位紙を複数重層した重層束のセットが極めて簡単にできる。つまり、セット時の安定性が向上し、セット時間を短縮できる。その他は、請求項１の発明と同様の効果を奏する。請求項３の発明においては、ペーパータオルの中間支持を安定したものにできる。請求項４の発明では、前記水平状突起付きの垂直状取付片を反転させることで、特に、前記水平状突起の高さが大きくなり、ペーパータオルの材質が軟らかくなった場合などに良好に対応できる。請求項５の発明においては、側部支持突起は、長孔を介して上下調節可能に設けられているため、ペーパータオルの材質、厚さ、幅などに対して、側面から見た弛みなどを考慮しての最適の位置を選択することで、特に、単位紙束が少量数枚（例えば、５，６枚）となったときでも、略１枚ずつでも取り出すことができる利点がある。
【発明を実施するための最良の形態】
【００１０】
以下、本発明の実施形態について図面に基づいて説明すると、図１乃至図２は本発明の実施例であって、ペーパータオルキャビネットは、ペーパータオル，衛生用ペーパー等の単位紙ｃ，ｃ，…が複数重層して束状に構成された重層束Ｃを収容する収納体Ａと蓋体Ｂから構成されている。前記収納体Ａは、重層束収納部１と収納底部２とからなり、前記蓋体Ｂが前記収納体Ａに枢着４を介して開閉自在に装着されている。前記蓋体Ｂは、正面側に被覆部３が形成され、裏側は開放されている。
【００１１】
その収納体Ａより蓋体Ｂを開いた状態では、図１鎖線に示すように、収納体Ａが略全開状態となり、複数の単位紙ｃ，ｃ，…の重層束Ｃを容易に入れることができるようになっている。前記収納体Ａの重層束収納部１の下部の収納底部２には取出用開口５が形成されており、該取出用開口５より前記重層束収納部１内に収容された重層束Ｃの単位紙ｃ，ｃ，…を一枚ずつ引き出すことができる。
【００１２】
前記取出用開口５は、長孔状に形成され、前記重層束収納部１の幅方向〔図２（Ａ）において左右方向〕に沿って形成され、内装されている重層束Ｃの単位紙ｃの幅方向に一致するようにして形成されている。該単位紙ｃを一枚引き出すと、その引き出された単位紙ｃに引きずられて次の単位紙ｃが前記取出用開口５より一部が飛び出すように構成されている。
【００１３】
前記収納底部２は、奥行方向（図１の左右方向）に断面Ｖ字状となるように形成され、具体的には収納底部２の奥行方向の略中央箇所より手前側と後側とに前側傾斜底面２ａ，後側傾斜底面２ｂがそれぞれ形成され、該前側傾斜底面２ａと後側傾斜底面２ｂとによってＶ字状が構成され、前記収納底部２の最も低い位置に前記取出用開口５が形成されている。
【００１４】
さらに、前記収納底部２の正面側に、図５に示すように、前記重層束Ｃの単位紙ｃを摘み出す箇所の取出用凹部６が形成されている。該取出用凹部６には、前記取出用開口５の長手方向に略直交するようにして補助取出用開口６ａが形成されており、さらに該補助取出用開口６ａの両側より収納底部２の幅方向に向かって取出用傾斜面６ｂ，６ｂが形成されている。
【００１５】
前記補助取出用開口６ａの形状の具体例としては、図５に示すように、前記収納体Ａ の正面より前記取出用開口５箇所に向かうに従って、次第に幅が広くなるように、略三角形状に近い台形状に形成されている。さらに、前記取出用傾斜面６ｂ，６ｂは、前記補助取出用開口６ａ箇所より離れるに従って下方に傾斜するように形成され、収納体Ａの外部より見た取出用凹部６の形状は、取出用傾斜面６ｂ，６ｂにより台形山形状に窪んだ状態に形成されている。
【００１６】
また、図１及び図２に示すように、前記収納体Ａの収納底部２の正面側より上方に正面立上り縁１ｃが形成され、該正面立上り縁１ｃに連続して前記取出用凹部６は形成され、前記収納体Ａに蓋体Ｂを閉じた状態で、前記正面立上り縁１ｃの下部箇所及び前記取出用凹部６が露出するように構成されている（図５参照）。
【００１７】
前記収納底部２のＶ字状の頂部箇所に前記重層束の前側及び後側を支持する前側支持部７ａ及び後側支持部７ｂが形成されている。すなわち、前記収納底部２の前側傾斜底面２ａ，後側傾斜底面２ｂには、図１，図２等に示すように、その同等の傾斜高さ位置に、前側支持部７ａと後側支持部７ｂとが形成されており、前記収納底部２に重層束Ｃを装填したときに、重層束Ｃが水平状を維持することができるものである。前記前側支持部７ａと後側支持部７ｂの具体例としては、図２に示すように、前側傾斜底面２ａ，後側傾斜底面２ｂより収納体Ａの内方（上側）に三角板片状に形成されたり、棒状に膨出形成されたものであって、前記重層束Ｃの下部前後縁箇所が、前記前側支持部７ａと後側支持部７ｂとに引っ掛かった状態で、前記重層束Ｃが水平状を保ちつつ安定する。
【００１８】
また、図１及び図２に示すように、前記収納体Ａの重層束収納部１の幅方向両側の側壁面１ｂ，１ｂの下部箇所には、側部支持突起８，８が着脱自在に設けられ、前記収納体Ａに内装された重層束Ｃを幅方向両側より支持すると共に、該重層束Ｃの全重量が収納底部２の前記前側支持部７ａと後側支持部７ｂとに掛からないように構成されている。つまり、前記前側支持部７ａと前記後側支持部７ｂと前記側部支持突起８の水平状突起８１とで前記重層束Ｃを支持するように構成され、その３部材は、略水平位置になるように形成されている。
【００１９】
前記側部支持突起８，８は、水平状突起８１と垂直状取付片８２とで構成されている。全体として、図２に示すように、側面から見てＬ字に形成されている。具体的には、図２及び図４に示すように、前記側部支持突起８の水平状突起８１は、断面が略円形状をなし、且つ先端は半球状に形成されている。前記側部支持突起８の垂直状取付片８２は、方形状（正方形に近似した長方形状）に形成されている。この材質としては、ＡＢＳ樹脂又はＰＣ樹脂等が使用されたり、或いは、適宜の金属材にて構成されることもあるが、強度に耐えられればその材質に限定されない。
【００２０】
前記側部支持突起８の垂直状取付片８２において前記水平状突起８１が取付られた側とは反対側の裏面には、図２（Ｂ）乃至（Ｄ）に示すように、高さ方向に高さＨの対の取付穴８２ａ，８２ａが形成され、且つ対の取付穴８２ａ，８２ａが幅方向に複数（図２では５対）設けられている。さらに、その幅方向に幅Ｈの対の取付穴８２ｂ，８２ｂが形成され、且つ対の取付穴８２ｂ，８２ｂが高さ方向に複数（図２では２対）設けられることもある。
【００２１】
また、前記収納体Ａの側壁面１ｂ箇所に所定位置の対の壁取付孔８３ａ，８３ａ設けられている。この対の壁取付孔８３ａ，８３ａは、新設，既設の収納体Ａでも同一に設けられている。その対の壁取付孔８３ａ，８３ａ及び前記対の取付穴８２ｂ，８２ｂを介して取付用ビス８５にて着脱自在に設けられている。該取付用ビス８５の螺子部が合成樹脂製の前記対の取付穴８２ｂ，８２ｂに食い込むようにして螺子状に形成されつつ螺合されている。
【００２２】
前記重層束Ｃを構成する複数の単位紙ｃ，ｃ，…は、図１に示すように、それぞれが折り畳まれており、上下に隣接する単位紙ｃ，ｃ同士の一片が他方に食い込むようにして、重層状態に構成されており、図５（Ａ）及び（Ｂ）に示すように、収納体Ａより一枚の単位紙ｃを引き出すことにより、順次一枚ずつが取出用開口５から繰り出される仕組みとなっている。
【００２３】
また、図８に示すように、蓋体Ｂは被覆部３により収納体Ａの開口部分を覆うことができ、前記被覆部３の正面には窓３ａが形成され、必要に応じて合成樹脂，ガラス等の透明板１０が設けられており、収納体Ａの内部の重層束Ｃ及び単位紙ｃ，ｃ，…の残量が目視できるようになっている。
【００２４】
本発明の作用を詳述すると、収納底部２箇所の前記前側支持部７ａと前記後側支持部７ｂと前記側部支持突起８の水平状突起８１とに、重層束Ｃを載置するのみで、安定した載置ができる。そして、図５（Ａ）及び（Ｂ）に示すように、下側から順次単位紙ｃを略１枚ずつ取り出すことができる。特に、残り枚数が十枚程度になったとき、すなわち、単位紙ｃが少ない場合での作用状態を説明する。つまり、図５（Ｂ）においては、左右側の前記側部支持突起８，８の水平状突起８１，８１にて前記重層束Ｃの左右側縁が支持されていることで、この状態で単位紙ｃを１枚取り出しても、略１枚のみが取り出され、後はそのままの状態にできる。
【００２５】
具体的に説明すると、さらに下側から単位紙ｃを１枚ずつ取り出しても、重層束Ｃは４，５枚で重量はなく、単位紙ｃが少ない場合でも、水平状突起８１，８１にての前記重層束Ｃの左右側縁支持にて、略１枚のみが取り出され、後はそのままの状態にできる。つまり、単位紙ｃが少なくなっても、前記前側支持部７ａと前記後側支持部７ｂと前記側部支持突起８の水平状突起８１とで、３部材にて前記重層束Ｃを支持するように構成され、下側から順次単位紙ｃを略１枚ずつ取り出すことができる。つまり、図１０（Ｂ）の従来のように、一度に落下しないようにできる最大の利点がある。
【００２６】
さらに、前記側部支持突起８の水平状突起８１の高さなどの位置調整について説明する。すなわち、重層束Ｃの幅Ｗ０（一般的）となっている場合には、図３（Ａ）に示すように、対の取付穴８２ａ，８２ａの基本的には、幅方向において中間（真中）を使用する。また、図３（Ｂ）に示すように、特に、前記重層束Ｃの幅ＷＭＡＸ（最大幅）の場合には、前記垂直状取付片８２の幅方向において前記前側支持部７ａに近づくような位置に取付ける。このようにすることで、重層束Ｃの略１枚を正確に出し易くできる。つまり、１枚を引き出すには、引っ張られる側が引き付けられ難くなるようにできる。さらに、図３（Ｃ）では、図３（Ａ）の状態において、対の取付穴８２ａ，８２ａに換えて、対の壁取付長孔８３ｂ，８３ｂ（上下方向の長孔）とし、該対の壁取付長孔８３ｂ，８３ｂを介して重層束Ｃを僅かに上側にセットして、一度に引っ張られにくくしたものである。上下にΔＮだけ調整できる。
【００２７】
また、図３（Ｄ）では、図３（Ｂ）の状態において、対の取付穴８２ａ，８２ａに換えて、対の壁取付長孔８３ｂ，８３ｂ（上下方向の長孔）とし、該対の壁取付長孔８３ｂ，８３ｂを介して重層束Ｃを僅かに上側にセットして、一度に引っ張られにくくしたものである。上下にΔＮだけ高さ調整ができる。さらに、前記対の取付穴８２ｂ，８２ｂを使い、前記垂直状取付片８２を９０度回転させて取り付けることもある。この場合には、前記水平状突起８１，８１は相対的にかなり上側に位置させることができ、重層束Ｃの位置調整ができる。
【００２８】
また、図示しないが、前記垂直状取付片８２を１８０度回転（反転）させることもある。この場合、水平状突起８１，８１の位置を相当上側に位置させることができ、軟らかい材質のペーパータオルに対して、最後の略１枚の取り出しに良好に対応できる。図６に示した側部支持突起８の垂直状取付片８２は、棒状をなし、上下に取付孔が適宜取り付けられている。また、図７に示すように、壁取付長孔８３ｂ，８３ｂが設けられて、所定取付位置より、上下にΔＮだけ高さ調整ができる。また、前記側部支持突起８が樹脂成形される場合は、前記水平状突起８１は、中空半円状（上半分が半円状）に形成されることがある。
【００２９】
図９に示した側部支持突起８は、本発明の別の実施形態であって、水平状突起８１は１本であるが、垂直状取付片８２は広幅で、多くの取付孔８２ｄ，８２ｄ，・・・及び必要に応じて横長孔８２ｅ，８２ｅ，・・・が穿孔されている。前記収納体Ａの大きさ、形状において複数のタイプが存在するが、図９の部材で、そのタイプの収納体Ａに合せて、適宜の取付孔８２ｄ又は長孔８２ｅを介して取付けることができ、多くのタイプに共用できる利点がある。その取付状況は、図２及び図３とほぼ同等であり、その説明を省略する。
【図面の簡単な説明】
【００３０】
【図１】本発明の要部拡大断面図である。
【図２】（Ａ）は本発明の内部の要部斜視図、（Ｂ）は側部支持突起の前側からの斜視図、（Ｃ）は側部支持突起の後側からの斜視図、（Ｄ）は側部支持突起の背面（裏面）図である。
【図３】（Ａ）は一般的な重層束がセットされた場合での順次取り出されている要部状態図、（Ｂ）は広幅の重層束がセットされた場合での順次取り出されている要部状態図、（Ｃ）は（Ａ）の場合よりも僅かに上昇位置とした要部状態図、（Ｄ）は（Ｂ）の場合よりも僅かに上昇位置とした要部状態図である。
【図４】（Ａ）は収納体の側壁面箇所の要部斜視図、（Ｂ）は（Ａ）の箇所に側部支持突起を取付けた断面図、（Ｃ）は収納体の側壁面箇所の別の実施形態の要部斜視図、（Ｄ）は（Ｃ）の箇所に側部支持突起を取付けた断面図である。
【図５】（Ａ）は重層束の単位紙が多い場合の順次取り出されていく状態の本発明の要部状態図、（Ｂ）は重層束の単位紙が残り少なくなった場合において順次取り出されていく状態の本発明の要部状態図である。
【図６】（Ａ）は別の実施形態の内部の要部斜視図、（Ｂ）は（Ａ）に使用した側部支持突起の斜視図、（Ｃ）は（Ａ）の取付状態の断面図である。
【図７】図６（Ｃ）とは別の実施形態の要部断面図である。
【図８】本発明を収納底部側から見た外観図である。
【図９】（Ａ）は側部支持突起の別の実施形態の正面図、（Ｂ）は（Ａ）のＸ−Ｘ矢視断面図、（Ｃ）は（Ａ）のＹ−Ｙ矢視断面図、（Ｄ）は（Ａ）の斜視図である。
【図１０】（Ａ）は重層束の単位紙が多い場合の順次取り出されていく状態の従来公知の要部状態図、（Ｂ）は重層束の単位紙が少なくなった場合の一度に取り出されてしまう状態の従来公知の要部状態図である。
【符号の説明】
【００３１】
Ａ…収納体、２…収納底部、５…取出用開口、７ａ…前側支持部、７ｂ…後側支持部、８…側部支持突起，８２…垂直状取付片、８１…水平状突起、８２ａ…取付穴、
８５…取付用ビス、Ｃ…重層束、ｃ…単位紙。
【図１】
2010149920.tif 000003
【図２】
2010149920.tif 000004
【図３】
2010149920.tif 000005
【図４】
2010149920.tif 000006
【図５】
2010149920.tif 000007
【図６】
2010149920.tif 000008
【図７】
2010149920.tif 000009
【図８】
2010149920.tif 000010
【図９】
2010149920.tif 000011
【図１０】
2010149920.tif 000012